(57)【要約】【課題】ロック解除操作の操作性を向上させること。【解決手段】１つの態様において、装置（例えば、スマートフォン）１は、ロック画面および該ロック画面上を移動する第１のオブジェクトを表示するタッチスクリーンディスプレイと、第１のオブジェクトに対するタッチジェスチャがタッチスクリーンディスプレイによって検出された場合に、ロック画面が表示されるロック状態を解除するコントローラとを有する。例えば、装置（例えば、スマートフォン）１は、ロック画面に表示されている第１のオブジェクトに対するタッチが検出されると、オブジェクトに対応付けられているロック解除の機能を実行し、ロック状態を解除する。【選択図】図７
2013134694.tif 000002
【特許請求の範囲】
【請求項１】
ロック画面および該ロック画面上を移動する第１のオブジェクトを表示するタッチスクリーンディスプレイと、
前記第１のオブジェクトに対するタッチジェスチャが前記タッチスクリーンディスプレイによって検出された場合に、前記ロック画面が表示されるロック状態を解除するコントローラと
を備える装置。
【請求項２】
前記タッチスクリーンディスプレイは、アプリケーションに対応付けられ、前記ロック画面上を移動する第２のオブジェクトをさらに表示し、
前記コントローラは、前記第２のオブジェクトに対するタッチジェスチャが前記タッチスクリーンディスプレイによって検出された場合に、前記第２のオブジェクトに対応付けられたアプリケーションを実行する請求項１に記載の装置。
【請求項３】
前記タッチスクリーンディスプレイは、アプリケーションの使用頻度に応じて、前記第２のオブジェクトを表示する際の大きさ、移動速度、出現頻度、出現期間、接触検出領域、及び移動パターンの少なくとも１つを変更する請求項２に記載の装置。
【請求項４】
前記タッチスクリーンディスプレイは、アプリケーションに発生したイベントに応じて、前記第２のオブジェクトを表示する際の大きさ、移動速度、出現頻度、出現期間、接触検出領域、及び移動パターンの少なくとも１つを変更する請求項２に記載の装置。
【請求項５】
前記コントローラは、前記第１のオブジェクトの移動に追随するタッチジェスチャが前記タッチスクリーンディスプレイによって検出された場合に、前記ロック状態を解除し、前記第２のオブジェクトの移動に追随するタッチジェスチャが前記タッチスクリーンディスプレイによって検出された場合に、前記第２のオブジェクトに対応付けられたアプリケーションを実行する請求項３に記載の装置。
【請求項６】
タッチスクリーンディスプレイを備える装置を制御する方法であって、
ロック画面および該ロック画面上を移動する第１のオブジェクトをタッチスクリーンディスプレイに表示させるステップと、
前記第１のオブジェクトに対するタッチジェスチャが前記タッチスクリーンディスプレイによって検出された場合に、前記ロック画面が表示されるロック状態を解除するステップと
を含む方法。
【請求項７】
タッチスクリーンディスプレイを備える装置に、
ロック画面および該ロック画面上を移動する第１のオブジェクトをタッチスクリーンディスプレイに表示させるステップと、
前記第１のオブジェクトに対するタッチジェスチャが前記タッチスクリーンディスプレイによって検出された場合に、前記ロック画面が表示されるロック状態を解除するステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者の誤操作の防止およびセキュリティの観点から、利用者からの操作が受け付けられない時間がある程度継続するとロック状態へと移行する。ロック状態では、タッチスクリーンデバイスは、特定の操作を除いて、利用者からの操作を受け付けない。特定の操作とは、例えば、ロック状態を解除するためのロック解除操作である。
【０００６】
このように、タッチスクリーンデバイスは、ロック状態に頻繁に移行するので、利用者がロック解除操作を行う頻度は高い。このような理由により、ロック解除操作の操作性を向上させることができる装置、方法、及びプログラムに対する必要性がある。
【課題を解決するための手段】
【０００７】
１つの態様に係る装置は、ロック画面および該ロック画面上を移動する第１のオブジェクトを表示するタッチスクリーンディスプレイと、前記第１のオブジェクトに対するタッチジェスチャが前記タッチスクリーンディスプレイによって検出された場合に、前記ロック画面が表示されるロック状態を解除するコントローラとを備える。
【０００８】
１つの態様に係る方法は、タッチスクリーンディスプレイを備える装置を制御する方法であって、ロック画面および該ロック画面上を移動する第１のオブジェクトをタッチスクリーンディスプレイに表示させるステップと、前記第１のオブジェクトに対するタッチジェスチャが前記タッチスクリーンディスプレイによって検出された場合に、前記ロック画面が表示されるロック状態を解除するステップとを含む。
【０００９】
１つの態様に係るプログラムは、タッチスクリーンディスプレイを備える装置に、ロック画面および該ロック画面上を移動する第１のオブジェクトをタッチスクリーンディスプレイに表示させるステップと、前記第１のオブジェクトに対するタッチジェスチャが前記タッチスクリーンディスプレイによって検出された場合に、前記ロック画面が表示されるロック状態を解除するステップとを実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、ロック画面の一例を示す図である。
【図６】図６は、ロック画面の一例を示す図である。
【図７】図７は、実施形態に係るスマートフォンの構成を示すブロック図である。
【図８】図８は、ロック画面上を移動するオブジェクトに対するタッチジェスチャが検出された場合の制御の例を示す図である。
【図９】図９は、ロック画面上を移動するオブジェクトに対するタッチジェスチャが検出された場合の制御の他の例を示す図である。
【図１０】図１０は、アプリケーションの使用頻度に応じて、ロック画面６０に表示されるオブジェクトの移動速度およびオブジェクトに含まれるアイコンの大きさを変更する制御の例を示す図である。
【図１１】図１１に、アプリケーションに発生したイベントに応じた表示態様の変更例を示す図である。
【図１２】図１２は、タッチスクリーンにより検出されるオブジェクトに対するタッチジェスチャに応じて、オブジェクトに対応付けられた処理を実行する処理手順を示す図である。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面４０の上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３４】
図５及び図６を参照しながら、ディスプレイ２Ａに表示されるロック画面の例について説明する。図５及び図６は、ロック画面の一例を示す図である。スマートフォン１は、図４に示すホーム画面４０の他に、図５及び図６に示すロック画面６０をディスプレイ２Ａに表示する。ロック画面６０は、利用者の誤操作の防止およびセキュリティの観点から、ロック状態の解除操作を含む特定の操作のみを受け付けるのが一般的である。これに対して、本実施形態では、ロック画面６０が表示されている状態での利用方法を広げる趣旨から、ディスプレイ２Ａにロック画面６０を表示させるための操作およびロック状態を解除するためのロック解除操作などの特定の操作以外にも種々の操作を受け付ける。以下、説明の便宜上、ディスプレイ２Ａにロック画面６０が表示されている状態を「ロック状態」と表記する場合がある。
【００３５】
図５に示すロック画面６０には、蜂のモデルの画像６１を含むオブジェクト６１ａ、蜂のモデルの画像６１を含むオブジェクト６１ｂ、および蜂のモデルの画像６１を含むオブジェクト６１ｃが表示される。オブジェクト６１ａは、画像６１と、ロック状態を解除する機能に対応するアイコン５０ａとを含む。オブジェクト６１ｂは、画像６１と、ＷＥＢブラウジング機能を提供するブラウザアプリケーションに対応するアイコン５０ｂを含む。オブジェクト６１ｃは、画像６１と、写真撮影機能を提供するカメラアプリケーションに対応するアイコン５０ｃを含む。画像６１を含むオブジェクト６１ａは、第１のオブジェクトの一例である。画像６１を含むオブジェクト６１ｂ、および画像６１を含むオブジェクト６１ｃは、第２のオブジェクトの一例である。
【００３６】
ロック画面６０に表示されるオブジェクト６１ａ、オブジェクト６１ｂおよびオブジェクト６１ｃは、図６のステップＳ１及びステップＳ２に示すように、ディスプレイ２Ａにロック画面６０が表示されている間、ロック画面６０をランダムに移動する。例えば、オブジェクト６１ａ〜６１ｃは、ロック画面６０の端まで到達した場合には、折り返して反対方向に移動する。あるいは、オブジェクト６１ａ〜６１ｃは、ロック画面６０の端まで到達した場合には、ロック画面６０の端に吸い込まれるように消えて、再び、ロック画面の６０の他の端から出現して移動する。図５は、オブジェクト６１ａ〜６１ｃの３つのオブジェクトがロック画面６０に表示される例を示しているが、ロック画面６０に表示されるオブジェクトの数は、図５及び図６に示す例に限定されない。
【００３７】
図７は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００４０】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４１】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４２】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４３】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４４】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４６】
ストレージ９は、例えば、制御プログラム９Ａ、メールアプリケーション９Ｂ、ブラウザアプリケーション９Ｃ、カメラアプリケーション９Ｄ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。ストレージ９は、アプリケーションごとに、例えば、１日あたりの使用回数の平均値を記憶する。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ディスプレイ２Ａにロック画面６０を表示させる機能が含まれる。さらに、制御プログラム９Ａが提供する機能には、ロック画面６０の上を移動する第１のオブジェクトに対するタッチジェスチャが検出された場合に、ロック状態を解除する機能が含まれる。さらに、制御プログラム９Ａが提供する機能には、ロック画面６０の上を移動する第２のオブジェクトに対するタッチジェスチャが検出された場合に、第２のオブジェクトに対応付けられたアプリケーションを実行する機能が含まれる。制御プログラム９Ａが提供する機能は、メールアプリケーション９Ｂ等の他のプログラムが提供する機能と組み合わせて利用されることがある。
【００４８】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００５０】
コントローラ１０は、例えば、制御プログラム９Ａを実行することにより、ロック画面６０の上を移動する第１のオブジェクトに対するタッチジェスチャの検出を契機として、ロック状態を解除する。あるいは、コントローラ１０は、制御プログラム９Ａを実行することにより、ロック画面６０の上を移動する第２のオブジェクトに対するタッチジェスチャの検出を契機として、第２のオブジェクトに対応付けられているアプリケーションを実行する。
【００５１】
カメラ１２は、フロントフェイス１Ａに面している物体を撮影するインカメラである。カメラ１３は、バックフェイス１Ｂに面している物体を撮影するアウトカメラである。
【００５２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５３】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５４】
図７においてストレージ９が記憶するプログラムの一部又は全部は、通信ユニット６による無線通信で他の装置からダウンロードされてもよい。図７においてストレージ９が記憶するプログラムの一部又は全部は、ストレージ９に含まれる読み取り装置が読み取り可能な非一過的な記憶媒体に記憶されていてもよい。図７においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５５】
図７に示したスマートフォン１の構成は一例であり、本出願の要旨を損なわない範囲において適宜変更してよい。例えば、ボタン３の数と種類は図７の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図７に示した例では、スマートフォン１が２つのカメラを備えるが、スマートフォン１は、１つのカメラのみを備えてもよいし、カメラを備えなくてもよい。図７に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５６】
図８〜図１０を参照しながら、制御プログラム９Ａが提供する機能に基づく制御の例について説明する。制御プログラム９Ａが提供する機能には、ロック画面６０の上を移動する第１のオブジェクトに対するタッチジェスチャの検出を契機としてロック状態を解除する機能、あるいは、ロック画面６０の上を移動する第２のオブジェクトに対するタッチジェスチャの検出を契機として、第２のオブジェクトに対応付けられているアプリケーションを実行する機能が含まれる。
【００５７】
図８は、ロック画面６０を表示させているロック状態で、タッチスクリーン２Ｂによりオブジェクトに対するタッチジェスチャが検出された場合の制御の例を示している。図８に示すステップＳ１１〜ステップＳ１２は、ロック状態が解除され、ロック画面６０がホーム画面４０に切り替わる様子を示している。
【００５８】
ステップＳ１１では、オブジェクト６１ａ〜６１ｃを含むロック画面６０が表示されているロック状態を示している。ステップＳ１１では、利用者の指により、ロック画面６０を移動するオブジェクト６１ａに対するタッチが行われた状態を示している。スマートフォン１は、タッチスクリーン２Ｂの検出結果を取得し、検出結果からオブジェクト６１ａに対するタッチが検出されると、オブジェクト６１ａに含まれるアイコン５０ａに対応付けられているロック解除の機能を実行し、ロック状態を解除する。ロック状態の解除後、スマートフォン１は、ステップＳ１２に示すように、ディスプレイ２Ａにホーム画面４０を表示する。
【００５９】
図９は、ロック画面６０を表示させているロック状態で、タッチスクリーン２Ｂによりオブジェクトに対するタッチジェスチャが検出された場合の制御の他の例を示している。図９に示すステップＳ２１〜ステップＳ２２は、ロック画面６０がＷＥＢブラウザの画面７０に切り替わる様子を示している。
【００６０】
ステップＳ２１では、オブジェクト６１ａ〜６１ｃを含むロック画面６０が表示されているロック状態を示している。ステップＳ２１では、利用者の指により、ロック画面６０を移動するオブジェクト６１ｂに対するタッチが行われた状態を示している。スマートフォン１は、タッチスクリーン２Ｂの検出結果を取得し、検出結果からオブジェクト６１ｂに対するタッチが検出されると、オブジェクト６１ｂに含まれるアイコン５０ｂに対応付けられているブラウザアプリケーション９Ｃを実行する。続いて、スマートフォン１は、ステップＳ２２に示すように、ディスプレイ２ＡにＷＥＢブラウザの画面７０を表示する。スマートフォン１は、ロック状態を維持したままオブジェクト６１ｂに対応付けられているブラウザアプリケーション９Ｃを実行してもよい。すなわち、スマートフォン１は、ブラウザアプリケーション９Ｃを実行した後、再びロック状態に戻ってもよい。あるいは、スマートフォン１は、ロック状態を解除してオブジェクト６１ｂに対応付けられているブラウザアプリケーション９Ｃを実行してもよい。すなわち、スマートフォン１は、ブラウザアプリケーション９Ｃを実行した後、ホーム画面４０をディスプレイ２Ａに表示させて、他のアプリケーションを実行できる状態にしてもよい。
【００６１】
図８に示す場合では、スマートフォン１は、ロック画面６０の上を移動する第１のオブジェクトに対するタッチジェスチャに応じて、ロック画面が表示されるロック状態を解除する。このようなことから、本実施形態によれば、ロック解除操作の操作性を向上させることができる。図９に示す場合では、スマートフォン１は、ロック画面６０の上を移動する第２のオブジェクトに対するタッチジェスチャに応じて、第２のオブジェクトに対応付けられたアプリケーションを実行する。このとき、スマートフォン１は、ロック状態を解除して第２のオブジェクトに対応付けられたアプリケーションを実行する。このようなことから、本実施形態によれば、ロック状態の解除とアプリケーションの実行を同時に行うことができ、ロック解除操作の操作性をさらに向上できる。
【００６２】
図８及び図９に示す場合では、スマートフォン１が、第１のオブジェクト又は第２のオブジェクトに対するタッチジェスチャとしてタッチを検出する制御の例を説明したが、これには限定されない。例えば、スマートフォン１は、第１のオブジェクト又は第２のオブジェクトに対するタッチジェスチャとして、ロングタッチ、タップ、ダブルタップまたはフリックを検出してもよい。あるいは、スマートフォン１は、第１のオブジェクト又は第２のオブジェクトに対するタッチジェスチャとして、第１のオブジェクト又は第２のオブジェクトに追随するスワイプを検出してもよい。例えば、スマートフォン１は、第１のオブジェクトの一例であるオブジェクト６１ａがロック画面６０の上を移動した軌跡に対するスワイプの検出を契機として、オブジェクト６１ａに対応付けられているロック解除の機能を実行してもよい。あるいは、スマートフォン１は、第２のオブジェクトの一例であるオブジェクト６１ｂがロック画面６０の上を移動した軌跡に対するスワイプの検出を契機として、ＷＥＢブラウザを実行してもよい。
【００６３】
制御プログラム９Ａが提供する機能には、アプリケーションの使用頻度またはアプリケーションに発生したイベントに応じて、ロック画面６０に表示されるオブジェクトの大きさ、移動速度、出現頻度、出現期間、接触検出領域、及び移動パターンの少なくとも１つを変更する機能が含まれる。図１０を参照しつつ、アプリケーションの使用頻度に応じて、ロック画面６０に表示されるオブジェクトの移動速度およびオブジェクトに含まれるアイコンの大きさを変更する制御の例を説明する。図１０は、アプリケーションの使用頻度に応じて、ロック画面６０に表示されるオブジェクトの移動速度およびオブジェクトに含まれるアイコンの大きさを変更する制御の例を示す図である。
【００６４】
図１０に示すロック画面６０には、オブジェクト６１ａ〜６１ｃの３つのオブジェクトが表示されている。図１０は、この３つのオブジェクトのうち、オブジェクト６１ｂに含まれるアイコン５０ｂに対応するアプリケーションの使用頻度が高い例を示している。使用頻度が高いとは、例えば、１日あたりの使用回数の平均値が、予め設定された閾値を上回っている場合などが考えられる。スマートフォン１は、例えば、毎日、予め設定された時刻に、ストレージ９に記憶されている使用状況データ９Ｙを取得する。スマートフォン１は、使用状況データ９Ｙに含まれるアプリケーションごとの使用回数を用いて、アプリケーションごとに、１日あたりの使用回数の平均値を算出する。スマートフォン１は、ストレージ９に記憶されているアプリケーションごとの１日あたりの使用回数の平均値を更新する。
【００６５】
スマートフォン１は、ディスプレイ２Ａにロック画面６０を表示する場合、ストレージ９からアプリケーションごとの使用頻度を取得する。スマートフォン１は、使用頻度の高いアプリケーションがある場合、このアプリケーションが対応付けられたオブジェクトをロック画面に表示する際に、例えば、オブジェクトの移動速度およびオブジェクトに含まれるアイコンの大きさを変更する。図１０に示すように、スマートフォン１は、オブジェクト６１ｂに対応するアプリケーション使用頻度が高い場合、つまり、使用回数の平均値が閾値を上回っている場合に、オブジェクト６１ａおよびオブジェクト６１ｃよりも、オブジェクト６１ｂの移動速度を遅くする。さらに、スマートフォン１は、オブジェクト６１ａに含まれるアイコン５０ａおよびオブジェクト６１ｃに含まれるアイコン５０ｃよりも、オブジェクト６１ｂに含まれるアイコン５０ｂを大きくする。
【００６６】
図１０に示すように、スマートフォン１は、アプリケーションの使用頻度に応じて、ロック画面６０に表示されるオブジェクトの大きさおよび移動速度を変更する。これにより、利用者は、例えば、使用頻度の高いアプリケーションほど容易に操作できる。
【００６７】
図１０に示す場合では、スマートフォン１は、使用頻度が高いアプリケーションについて、オブジェクトの移動速度およびアイコンの大きさを変更する例を説明したが、これには限定されない。例えば、スマートフォン１は、使用頻度が高いアプリケーションについて、オブジェクトの移動速度またはアプリケーションに対応するアイコンの大きさのいずれか一方を変更してもよい。例えば、スマートフォン１は、閾値を複数設けて、使用頻度に応じて、オブジェクトの移動速度およびオブジェクトの大きさの少なくとも一方を段階的に変更してもよい。例えば、スマートフォン１は、使用頻度に比例して、オブジェクトの移動速度およびオブジェクトの大きさの少なくとも一方を変更してもよい。
【００６８】
図１０に示す場合では、スマートフォン１は、使用頻度が高いアプリケーションに対応するオブジェクトの移動速度およびアイコンの大きさを変更する例を説明したが、これには限定されない。例えば、スマートフォン１は、アプリケーションの使用頻度に応じて、使用頻度が高いものほど移動速度が遅くなるように、それぞれのオブジェクトの移動速度を、他のオブジェクトとの間で相対的に変更してもよい。あるいは、スマートフォン１は、アプリケーションの使用頻度に応じて、使用頻度が高いものほどアイコンの大きさが大きくなるように、それぞれのオブジェクトに含まれるアイコンの大きさを、他のオブジェクトとの間で相対的に変更してもよい。
【００６９】
図１０に示す場合では、スマートフォン１は、使用頻度が高いアプリケーションに対応するアイコンの大きさを変更する場合を説明したが、これには限定されない。例えば、スマートフォン１は、アイコンの大きさを変えずに、蜂のモデルの画像６１の大きさを変更してもよい。あるいは、スマートフォン１は、アイコンの大きさ、および画像６１の大きさの両方を変更してもよい。
【００７０】
図１０に示す場合において、スマートフォン１は、オブジェクトの出現頻度、出現期間、接触検出領域、または移動パターンを変更してもよい。以下に説明する制御により、利用者は、使用頻度が高いアプリケーションを相対的に実行し易くなる。例えば、スマートフォン１は、使用頻度が高いアプリケーションに対応するオブジェクトは頻繁にロック画面６０上に出現し、使用頻度が高いアプリケーションに対応するオブジェクトは滅多にロック画面６０上に出現しないように制御を実行してもよい。
【００７１】
出現頻度および出現期間を変更する場合、スマートフォン１は、例えば、使用頻度が高いアプリケーションに対応するオブジェクトはロック画面６０内に長時間留まり、使用頻度が高いアプリケーションに対応するオブジェクトは短時間でロック画面６０外へ消える制御を実行してもよい。
【００７２】
接触検出領域を変更する場合、スマートフォン１は、例えば、使用頻度が高いアプリケーションに対応するオブジェクトについては、このオブジェクトに対するタッチジェスチャが検出される領域を広くする制御を実行してもよい。
【００７３】
移動パターンを変更する場合、スマートフォン１は、使用頻度が高いアプリケーションに対応するオブジェクトは規則的な移動パターンで移動させる制御を実行してもよい。スマートフォン１は、例えば、使用頻度が高いアプリケーションに対応するオブジェクトをロック画面６０上で円を描くように移動させてもよい。スマートフォン１は、例えば、使用頻度が高いアプリケーションに対応するオブジェクトを、一定時間のホバリングと移動を繰り返すようにロック画面６０上を移動させてもよい。一方で、スマートフォン１は、使用頻度が低いアプリケーションに対応するオブジェクトはロック画面６０上で不規則に移動させる制御を実行してもよい。
【００７４】
図１０に示す場合では、スマートフォン１は、アプリケーションの使用頻度として、１日あたりの使用回数の平均値を用いる場合を説明したが、これには限定されない。例えば、スマートフォン１は、使用頻度に代えて、アプリケーションの使用回数の累積値、アプリケーションの使用回数を正規化した値、最後に使用されてからの経過時間等の使用状況に関する他の指標を用いてもよい。
【００７５】
図１０に示す場合では、スマートフォン１は、アプリケーションの使用頻度に応じて、対応するオブジェクトの表示態様を変更する例を説明したが、これには限定されない。例えば、スマートフォン１は、アプリケーションに発生したイベント、例えば、メールの受信、電話の着信、スケジュールに登録された予定などに応じて、対応するオブジェクトの表示態様を変更してもよい。これにより、利用者は、例えば、イベントの発生したアプリケーションを容易に操作できる。図１１に、アプリケーションに発生したイベントに応じた表示態様の変更例を示す。
【００７６】
図１１に示すように、スマートフォン１は、例えば、電話の着信があった場合に、通話のためのアプリケーションに対応付けられたオブジェクトの移動速度を遅くし、通話のためのアプリケーションに対応するアイコンの大きさを大きくしてもよい。スマートフォン１は、不在着信があった場合にも、図１１に示すような表示態様に変更してもよい。図１１に示す場合のほか、スマートフォン１は、例えば、メールの受信があった場合に、メールプログラム９Ｂに対応付けられたオブジェクトの移動速度を遅くし、メールプログラム９Ｂに対応するアイコンの大きさを大きくしてもよい。スマートフォン１は、例えば、スケジュールに登録された予定の時刻が迫った場合に、スケジュール管理のためのアプリケーションに対応付けられたオブジェクトの移動速度を遅くし、スケジュール機能に対応するアイコンの大きさを大きくしてもよい。スマートフォン１は、アプリケーションに発生したイベントに応じて、図１０に示す場合と同様に、オブジェクトの出現頻度、出現期間、接触検出領域、または移動パターンを変更してもよい。
【００７７】
図１２を参照しながら、制御プログラム９Ａが提供する機能に基づく制御の処理手順の例について説明する。図１２は、タッチスクリーン２Ｂにより検出されるオブジェクトに対するタッチジェスチャに応じて、オブジェクトに対応付けられた処理を実行する処理手順を示している。図１２に示す処理手順は、コントローラ１０が、制御プログラム９Ａを実行することによって実現される。図１２に示す処理手順は、ロック状態の継続中、コントローラ１０によって繰り返し実行される。
【００７８】
図１２に示すように、コントローラ１０は、ステップＳ１０１として、オブジェクトの表示態様を更新する。例えば、コントローラ１０は、使用頻度が高いアプリケーションに対応するオブジェクトの移動速度およびアイコンの大きさを変更したり、オブジェクトの出現頻度、出現期間、接触検出領域、または移動パターンを変更したりする。
【００７９】
続いて、コントローラ１０は、ステップＳ１０２として、タッチスクリーンの検出結果を取得する。続いて、コントローラ１０は、ステップＳ１０３として、ロック画面６０に表示されているオブジェクトに対するタッチジェスチャが検出されたか否かを判定する。例えば、コントローラ１０は、タッチスクリーン２Ｂの検出結果から、ロック画面６０に表示されたオブジェクトに対するタッチが検出されたかどうかを判定する。
【００８０】
コントローラ１０は、判定の結果、タッチジェスチャが検出された場合には（ステップＳ１０３，Ｙｅｓ）、ステップＳ１０４として、オブジェクトに対応付けられた処理を実行する。コントローラ１０は、タッチスクリーン２Ｂの検出結果から、例えば、図８に示すオブジェクト６１ａに対するタッチが検出されると、オブジェクト６１ａに対応付けられているロック解除の機能を実行し、ロック状態を解除する。また、コントローラ１０は、例えば、図９に示すオブジェクト６１ｂに対するタッチが検出されると、オブジェクト６１ｂに対応付けられているＷＥＢブラウザを実行する。
【００８１】
これとは反対に、コントローラ１０は、判定の結果、タッチジェスチャが検出されなかった場合には（ステップＳ１０３，Ｎｏ）、そのまま処理を終了する。
【００８２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００８３】
例えば、図７に示した各プログラムは、複数のモジュールに分割されていてもよい。あるいは、図７に示した各プログラムは、他のプログラムと結合されていてもよい。
【００８４】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００８５】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｙ  使用状況データ
９Ｚ  設定データ
１０    コントローラ
１１    スピーカ
１２、１３  カメラ
１４    コネクタ
１５    加速度センサ  
１６    方位センサ
１７    ジャイロスコープ
２０    ハウジング
【図１】
2013134694.tif 000003
【図２】
2013134694.tif 000004
【図３】
2013134694.tif 000005
【図４】
2013134694.tif 000006
【図５】
2013134694.tif 000007
【図６】
2013134694.tif 000008
【図７】
2013134694.tif 000009
【図８】
2013134694.tif 000010
【図９】
2013134694.tif 000011
【図１０】
2013134694.tif 000012
【図１１】
2013134694.tif 000013
【図１２】
2013134694.tif 000014